【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
物質、特に飲料のための容器であって、
前記容器は、周縁部（１２、２１２、３１２）および前記周縁部（１２、２１２、３１２）に固定してある中心ゾーン（３６、２３６、３３６）と、前記中心ゾーン（３６、２３６、３３６）に形成されて前記物質が通過するのに関連する開口部（１５、２１５、３１５）に対して取り除き可能なストッパーとして機能する引き上げ開口式の密封要素（１４、２１４、３１４）を区画する脆弱線（１３、２１３、３１３）とを有する蓋として機能する上面（１１、２１１、３１１）と、
少なくとも一部分が前記密封要素（１４、２１４、３１４）に接続し、さらに前記密封要素（１４、２１４、３１４）を前記脆弱線（１３、２１３、３１３）に沿って少なくとも一部分取り除けるように動かして、前記開口部（１５、２１５、３１５）を外部と連通させるレバー（１６、２１６、３１６）と、を少なくとも有する容器において、
前記レバー（１６、２１６、３１６）は、
前記周縁部（１２、２１２、３１２）もしくは前記中心ゾーン（３６、２３６、３３６）に対応して配置され、支点として機能可能である第一端部（３４、２３４、３３４）と、
前記第一端部（３４、２３４、３３４）の反対側にあり、グリッパー要素として機能可能であり、前記中心ゾーン（３６、２３６、３３６）に実質的に対応して配置される第二端部（３２、２３２、３３２）と、
前記第一端部（３４、２３４、３３４）および前記第二端部（３２、２３２、３３２）の間にあり、前記レバー（１６、２１６、３１６）を前記密封要素（１４、２４、３１４）に接続させる中間ゾーン（３９、２３９、３３９）と、を有することを特徴とする容器。
【請求項２】
前記中心ゾーン（３６、２３６、３３６）は、実質的に円形で、中心軸（Ｙ）の同心円状にあり、確定半径（Ａ）を有し、
前記レバー（１６、２１６、３１６）は、前記半径（Ａ）と実質的に平行であり、前記第一端部（３４、２３４、３３４）および前記第二端部（３２、２３２、３３２）の間の距離は、前記半径（Ａ）の長さよりも短いことを特徴としている請求項１に記載の前記容器。
【請求項３】
前記第一端部（３４、２３４、３３４）は、前記周縁部（１２、２１２、３１２）の近くに配置され、前記第二端部（３２、２３２、３３２）は、前記中心軸（Ｙ）の近くに配置されていることを特徴とする請求項２に記載の容器。
【請求項４】
前記第一端部（３４、２３４、３３４）は、前記中心軸（Ｙ）の近くに配置され、前記第二端部（３２、２３２、３３２）は、前記周縁部（１２、２１２、３１２）の近くに配置されることを特徴とする請求項２に記載の容器。
【請求項５】
前記脆弱線（２１３）により区画される前記密封要素（２１４）は、実質的に円形の第一部分（２１４ａ）および実質的に長方形であり前記第一部分（２１４ａ）から繋がっている第二部分（２１４ｂ）を有する舌状体を有することを特徴とする請求項２、３、もしくは４のいずれかに記載の容器。
【請求項６】
前記レバー（２１６）は、前記密封要素（２１４）の前記第一部分（２１４ａ）の上に配置されていることを特徴とする請求項５に記載の容器。
【請求項７】
前記脆弱線（２１３）が、前記中心軸（Ｙ）に対して前記レバー（２１６）の反対側にある前記第二部分（２１４ｂ）の端で中断されて、前記密封要素（２１４）が前記中心ゾーン（２３６）の残りの部分に固定してある縁部を有することを特徴とする請求項５もしくは６に記載の容器。
【請求項８】
前記レバー（２１６）の前記中間ゾーン（２３９）は、前記密封要素（２１４）の前記第一部分（２１４ａ）に機械的接続手段（２５０）により接続されていることを特徴とする請求項５、６および７のいずれかに記載の容器。
【請求項９】
前記機械的接続手段（２５０）がリベットもしくは溶接点であることを特徴とする請求項８に記載の容器。
【請求項１０】
前記レバー（２１６）の前記中間ゾーン（２３９）は、柔軟な舌状体（２５１）を有し、前記機械的接続手段（２５０）は前記密封要素（２１４）の前記第一部分（２１４ａ）と前記柔軟な舌状体（２５１）を接続することを特徴とする請求項８もしくは９に記載の容器。
【請求項１１】
前記レバー（２１６）は、前記周縁部（１２、２１２、３１２）の外側に向かって回転可能になっていることを特徴とする請求項１から１０のいずれかに記載の容器。
【請求項１２】
柔軟なタイプの接続要素（１７）は、前記レバー（２１６）および前記密封要素（１４）の間に置かれ、前記接続要素（１７）は、前記レバー（１６）に付いている第一端部（１８）と、前記上面（１１）に固定してある第二端部（１９）と、を有し、前記接続要素（１７）の前記第一端部（１８）は、前記密封要素（１４）が閉じられた状態において、前記レバー（１６）の前記第一端部（３４）と実質的に近距離に配置されていることを特徴とする請求項１〜１１のいずれかに記載の容器。
【請求項１３】
前記第一端部（１８）は、前記脆弱線（１３）の外側にあることを特徴とする請求項１２に記載の容器。
【請求項１４】
前記接続要素（１７）の前記第二端部（１９）は、実質的に前記中心ゾーン（３６）に対応して配置されることを特徴とする請求項１２もしくは１３に記載の容器。
【請求項１５】
前記レバー（１６）の前記第一端部（３４）は、前記周縁部（１２、２１２、３１２）および前記脆弱線（１３）の間に少なくとも一部分が配置されている前記上面（１１）の部分（３５）に対応して位置することを特徴とする請求項１に記載の容器。
【請求項１６】
前記接続要素（１７）は、第一接続手段（２０）により前記密封要素（１４）に接続され、第二接続手段（３７）により前記上面（１１）に接続していることを特徴とする請求項１２もしくは１３に記載の容器。
【請求項１７】
前記接続要素（１７）は、第一所定屈曲線（２１、２５）を有し、前記第一所定屈曲線（２１、２５）は、前記接続要素（１７）の前記第一端部（１８）により接続する第一部分（２６）と、前記接続要素（１７）の前記第二端部（１９）により上面（１１）に接続する第二部分（３１）と、前記第一部分（２６）と前記第二部分（３１）の間に配置される第三部分（２９）と、を区画することを特徴とする請求項１２、１３、１６のいずれかに記載の容器。
【請求項１８】
前記接続要素（１７）は、第二所定屈曲線（２２、２３、２４）を有し、前記第二所定屈曲線（２２、２３、２４）は、前記第一部分（２６）に隣接しさらに前記密封要素（１４）に装着してある第四部分（２７）と、前記第四部分（２７）と前記第三部分（２９）の間に配置される第五部分（２８）と、前記第五部分（２８）と前記第二部分（３１）の間に配置される第六部分（３０）と、をそれぞれ区画することを特徴とする請求項１７に記載の容器。
【請求項１９】
前記密封要素が開いた状態において、前記接続要素（１７）は、屈曲状態であることができ、前記接続要素（１７）は、前記上面（１１）の上でさらに前記開口部に隣接して位置し、さらに前記六カ所の部分（２６、２７、２８、２９、３０、および３１）は屈曲し互いに重なりあっていることを特徴とする請求項１８に記載の容器。
【請求項２０】
前記第一接続手段（２０）は、前記接続要素（１７）を屈曲状態に選択的に保つための保持手段として機能することが可能なことを特徴とする請求項１６および１９の何れかに記載の容器。
【請求項２１】
前記周縁部（１２）は、溝（３８）を閉じられた環状に形作るように形成されていることを特徴とする請求項１から２０のいずれかに記載の容器。
【請求項２２】
前記周縁部（１２）は、前記レバー（１６）の前記第一端部（３４）に対応して、平面部分を有する実質的に環状の溝（１３８）を形作るように形成されていることを特徴とする請求項１から２０のいずれかに記載の容器。
【請求項２３】
物質、特に飲料のための容器であって、
周縁部（２１２）を有すると共に、実質的に円形で中心軸（Ｙ）に対して同心円状にあり、前記周縁部（２１２）に固定してある中心ゾーン（２３６）を有し、前記中心ゾーン（２３６）に形成されて前記物質が通過するのに関連する開口部（２１５）に対して取り除き可能なストッパーとして機能する引き上げ開口式の密封要素（２１４）を区画する脆弱線（２１３）を有する蓋として機能する上面（２１１）と、
少なくとも一部分が前記密封要素（２１４）に接続し、さらに前記密封要素（２１４）を前記脆弱線（２１３）に沿って少なくとも一部分を前記中心ゾーン（２３６）の残りの部分から取り除けるように動かすことで前記開口部（２１５）が外部と連通するようになっているレバー（２１６）と、を少なくとも有し、
前記脆弱線（２１３）は、前記中心軸（Ｙ）に対して前記レバー（２１６）と反対にある前記密封要素（２１４）の一端で中断され、前記密封要素（２１４）は、前記中心ゾーン（２３６）の残りの部分に固定された端を有する容器において、
前記レバー（２１６）は、
前記脆弱線（２１３）の外側に前記周縁部（２１２）に対応して配置され、支点として機能可能である第一端部（２３４）と、
把持、引き上げもしくは引っ張り要素として機能可能であり前記第一端部（２３４）の反対側にある第二端部（２３２）と、
前記第一端部（２３４）および前記第二端部（２３２）の間にあり、前記レバー（２１６）を前記密封要素（２１４）に接続させ、さらに前記密封要素（２１４）に機械的に接続された柔軟な舌状体（２５１）を有する中間ゾーン（２３９）と、を有する容器。
【請求項２４】
物質、特に飲料を保持することができる容器のためのフタであって、周縁部（１２、２１２、３１２）および前記周縁部（１２、２１２、３１２）に固定してある中心ゾーン（３６、２３６、３３６）と、前記中心ゾーン（３６、２３６、３３６）に形成された前記物質が通過するのに関連する開口部（１５、２１５、３１５）に対して取り除き可能なストッパーとして機能する引き上げ開口式の密封要素（１４、２１４、３１４）を区画する脆弱線（１３、２１３、３１３）とを有する蓋として機能する上面（１１、２１１、３１１）と、
少なくとも一部分が前記密封要素（１４、２１４、３１４）に接続し、さらに前記密封要素（１４、２１４、３１４）を前記脆弱線（１３、２１３、３１３）に沿って少なくとも一部分取り除けるように動かすレバー（１６、２１６、３１６）と、を少なくとも有し、
前記レバー（１６、２１６、３１６）は、前記周縁部（１２、２１２、３１２）もしくは前記中心ゾーン（３６、２３６、３３６）に対応して配置され、支点として機能可能である第一端部（３４、２３４、３３４）と、
前記第一端部（３４、２３４、３３４）の反対側にあり、グリッパー要素として機能可能であり、前記中心ゾーン（３６、２３６、３３６）に実質的に対応して配置される第二端部（３２、２３２、３３２）と、
前記第一端部（３４、２３４、３３４）および前記第二端部（３２、２３２、３３２）の間にあり、前記レバー（１６、２１６、３１６）を前記密封要素（１４、２４、３１４）に接続させる中間ゾーン（３９、２３９、３３９）と、を有する。
【請求項２５】
物質、特に飲料を保持できる容器のための蓋であって、
周縁部（２１２）を有すると共に、実質的に円形で中心軸（Ｙ）に対して同心円状にあり、前記周縁部（２１２）に固定され、前記物質が通過するための開口部（２１５）に対して取り除き可能なストッパーとして機能する引き上げ開口式の密封要素（２１４）を区画する脆弱線（２１３）が形成された中心ゾーン（２３６）を有し、
少なくとも一部分が前記密封要素（２１４）に接続し、さらに前記密封要素（２１４）を前記脆弱線（１３、２１３、３１３）に沿って前記中心ゾーン（２３６）の残りの部分から取り除けるように動かすレバー（２１６）を少なくとも有し、
前記脆弱線（２１３）は、前記中心軸（Ｙ）に対して前記レバー（２１６）の反対にある前記密封要素（２１４）の一端で中断され、前記密封要素（２１４）は、前記中心ゾーン（２３６）の残りの部分と固定された端を有する容器において、
前記レバー（２１６）は、
前記脆弱線（２１３）の外側に前記周縁部（２１２）に対応して配置された支点として機能可能である第一端部（２３４）と、
グリッパー、引き上げもしくは引っ張り要素として機能可能であり前記第一端部（２３４）の反対側にある第二端部（２３２）と、
前記第一端部（２３４）および前記第二端部（２３２）の間にあり、前記レバー（２１６）を前記密封要素（２１４）に接続させ、さらに前記密封要素（２１４）に機械的に接続された柔軟な舌状体（２５１）を有する中間ゾーン（２３９）と、を有する。
【請求項２６】
物質、特に飲料を保持することができる容器の密封要素（１４、２１４、３１４）を開ける方法であって、
前記容器は、周縁部（１２、２１２、３１２）および前記周縁部（１２、２１２、３１２）に固定してある中心ゾーン（３６、２３６、３３６）と、前記中心ゾーン（３６、２３６、３３６）に形成された前記物質が通過するのに関連する開口部（１５、２１５、３１５）に対して取り除き可能なストッパーとして機能する引き上げ開口式の密封要素（１４、２１４、３１４）を区画する脆弱線（１３、２１３、３１３）とを有する蓋として機能する上面（１１、２１１、３１１）と、
少なくとも一部分が前記密封要素（１４、２１４、３１４）に接続し、さらに前記密封要素（１４、２１４、３１４）を前記脆弱線（１３、２１３、３１３）に沿って少なくとも取り除けるように動かすレバー（１６、２１６、３１６）と、を少なくとも有し、
前記レバー（１６、２１６、３１６）は、前記周縁部（１２、２１２、３１２）もしくは前記中心ゾーン（３６、２３６、３３６）に対応して配置され、支点として機能可能である第一端部（３４、２３４、３３４）と、
前記第一端部（３４、２３４、３３４）の反対側にあり、グリッパー要素として機能可能であり、前記中心ゾーン（３６、２３６、３３６）に実質的に対応して配置される第二端部（３２、２３２、３３２）と、
前記第一端部（３４、２３４、３３４）および前記第二端部（３２、２３２、３３２）の間にあり、前記レバー（１６、２１６、３１６）を前記密封要素（１４、２４、３１４）に接続させる中間ゾーン（３９、２３９、３３９）と、を有し、
前記方法は、
前記レバー（１６、２１６、３１６）の前記中間ゾーン（３９、２３９、３３９）を前記脆弱線（１３、２１３、３１３）に沿って、前記中心ゾーン（３６、２３６、３３６）の残りの部分から前記密封要素（１４、２１４、３１４）を部分的に切り離すために前記レバー（１６、２１６、３１６）の前記第二端部（３２、２３２、３３２）を前記レバー（１６、２１６、３１６）の前記第一端部（３４、２３４、３３４）を中心に回動させて引き上げる工程と、
前記密封要素（１４、２１４、３１４）を引き上げて、さらに前記開口部（１５、２１５、３１５）が開くまで前記脆弱線（１３、２１３、３１３）に沿って切り離し続けるために、前記レバー（１６、２１６、３１６）の前記第二端部（３２、２３２、３３２）を後ろに引く工程と、を有する方法。
【請求項２７】
物質、特に飲料を保持することができる容器の密封要素（２１４）を開ける方法であって、
前記容器は、周縁部（２１２）を有すると共に、実質的に円形で中心軸（Ｙ）に対して同心円状にあり、前記周縁部（２１２）に固定してある中心ゾーン（２３６）と、を有し、前記中心ゾーン（２３６）に形成されて前記物質が通過するのに関連する開口部（２１５）に対して取り除き可能なストッパーとして機能する引き上げ開口式の密封要素（２１４）を区画する脆弱線（２１３）を有する蓋として機能する上面（２１１）と、
少なくとも一部分が前記密封要素（２１４）に接続し、さらに前記密封要素（２１４）を前記脆弱線（２１３）に沿って少なくとも一部分を前記中心ゾーン（２３６）の残りの部分から取り除けるように動かすレバー（２１６）と、を少なくとも有し、前記脆弱線（２１３）は、前記中心軸（Ｙ）に対して前記レバー（２１６）の反対にある前記密封要素（２１４）の一端で中断され、前記密封要素（２１４）は、前記中心ゾーン（２３６）の残りの部分と固定された端を有する容器において、前記レバー（２１６）は、
前記脆弱線（２１３）の外側に前記周縁部（２１２）に対応して配置された支点として機能可能である第一端部（２３４）と、
把持、引き上げもしくは引っ張り要素として機能可能であり前記第一端部（２３４）の反対側にある第二端部（２３２）と、
前記第一端部（２３４）および前記第二端部（２３２）の間にあり、前記レバー（２１６）を前記密封要素（２１４）に接続させ、さらに前記密封要素（２１４）に機械的に接続された柔軟な舌状体（２５１）を有する中間ゾーン（２３９）と、を有する容器の密封要素（２１４）を開ける方法において、
前記方法は、
前記レバー（２１６）の前記中間ゾーン（２３９）を前記脆弱線（２１３）に沿って、前記中心ゾーン（２３６）の残りの部分から前記密封要素（２１４）を部分的に切り離すために前記レバー（２１６）の前記第二端部（２３２）を前記周縁部（２１２）の外側に向かって回転させて、前記レバー（２１６）の前記第一端部（２３４）を中心に回動させて引き上げる工程と、
前記密封要素（２１４）を引き上げ、さらに前記開口部（２１５）が開くまで前記脆弱線（２１３）に沿って切り離し続けるために、前記レバー（２１６）を後ろに引く工程と、を有する方法。